(57)【要約】【課題】移動機に対するセル内再同期時に、キャリア周波数対応に割当てられた複数の上り信号処理部からの受信データに重複が生じないようにする。【解決手段】各上り信号処理部１６−１，２は、割当て対象の移動機２からの割当て対象のキャリア周波数ｆ１、ｆ２による上り信号を受信し、同期確立検出時点に同期確立メッセージを出力し、以後同期外れを検出するまで、得られたデータを該当移動機からの受信データとして順次出力する。受信データ選択部１４は、再同期先の上り信号処理部から同期確立メッセージを受信するまでは再同期元の上り信号処理部側の出力データを選択し、同期確立メッセージ受信後は再同期先の上り信号処理部側の出力データを選択し、該当移動機からの受信データとして有線伝送路インタフェース部１３を通して無線ネットワーク制御装置へ送信する。【選択図】　　　図２
2004064318.tif 000002
【特許請求の範囲】
【請求項１】
有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置において、
各々が、任意の１つの移動機及び任意の１つのキャリア周波数に割当て可能に設けられ、前記無線インタフェース手段を通して受信した割当て対象の移動機からの割当て対象のキャリア周波数による上り信号に対する同期確立及びデータ復元処理を行い、前記上り信号の同期確立検出時点に同期確立を示すメッセージを出力し、以後同期外れを検出するまで、得られたデータを該当移動機からの受信データとして順次出力する複数の上り信号処理手段と、
同一の移動機に対し使用するキャリア周波数を異なるものに切替えるセル内再同期が指示されると、該当移動機にそれまで割当てられていたセル内再同期元の上り信号処理手段と、新たに割当てられたセル内再同期先の上り信号処理手段との２つの上り信号処理手段からの出力データをそれぞれ入力し、前記セル内再同期先の上り信号処理手段から前記同期確立を示すメッセージを受信するまでは前記セル内再同期元の上り信号処理手段側の出力データを選択し、前記同期確立を示すメッセージを受信した以降は前記セル内再同期先の上り信号処理手段側の出力データを選択し、選択したデータを該当移動機からの受信データとして前記有線インタフェース手段を通して前記無線ネットワーク制御装置へ送信する受信データ選択手段とを有することを特徴とする無線基地局装置。
【請求項２】
前記受信データ選択手段が、前記セル内再同期が指示された移動機に対し使用するキャリア周波数を元に戻すセル内再同期の切戻しが指示されると、前記セル内再同期元の上り信号処理手段から同期確立を示すメッセージを受信するまでは前記セル内再同期先の上り信号処理手段側の出力データを選択し、前記同期確立を示すメッセージを受信した以降は前記セル内再同期元の上り信号処理手段側の出力データを選択し、選択したデータを該当移動機からの受信データとして前記有線インタフェース手段を通して前記無線ネットワーク制御装置へ送信することを特徴とする請求項１記載の無線基地局装置。
【請求項３】
有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置において、
各々が、任意の１つの移動機及び任意の１つのキャリア周波数に割当て可能に設けられ、前記無線インタフェース手段を通して受信した割当て対象の移動機からの割当て対象のキャリア周波数による上り信号に対する同期確立及びデータ復元処理を行い、前記上り信号の同期確立検出時点に同期確立を示すメッセージを出力し、以後同期外れを検出するまで、得られたデータを該当移動機からの受信データとして順次出力する複数の上り信号処理手段と、
同一の移動機に対し使用する複数のキャリア周波数対応にそれぞれ割当てられた複数の上り信号処理手段からの出力データをそれぞれ入力し、最近に前記同期確立を示すメッセージを出力した上り信号処理手段からの出力データを選択し該当移動機からの受信データとして前記有線インタフェース手段を通して前記無線ネットワーク制御装置へ送信する受信データ選択手段とを有することを特徴とする無線基地局装置。
【請求項４】
無線サービスエリアであるセル内に位置し、指定されたキャリア周波数でデータの送受信を行い、セル内再同期時に使用するキャリア周波数を変更する移動機と、
前記移動機に対し使用する複数のキャリア周波数対応にそれぞれ割当てられた複数の上り信号処理手段の各々で受信した前記移動機からの受信データの重複を削除する請求項１、２、または３に記載の無線基地局装置と、
前記無線基地局装置を制御し前記移動機からの重複が削除された受信データを受信する無線ネットワーク制御装置とを有することを特徴とするＣＤＭＡ移動通信システム。
【請求項５】
各々が、任意の１つの移動機及び任意の１つのキャリア周波数に割当て可能に設けられ、受信した割当て対象の移動機からの割当て対象のキャリア周波数による上り信号に対する同期確立及びデータ復元処理を行い、上り信号の同期確立検出時点に同期確立を示すメッセージを出力し、以後同期外れを検出するまで、得られたデータを該当移動機からの受信データとして順次出力する複数の上り信号処理手段を有し、有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置における、移動機の使用するキャリア周波数を切替えるセル内再同期時の上り受信データ選択方法において、セル内再同期が指示された移動機に対し、セル内再同期以前に使用していたキャリア周波数に対応して割当てていたセル内再同期元の上り信号処理手段の他に、セル内再同期以降に使用するキャリア周波数に対応するセル内再同期先の上り信号処理手段を新たに割当て、
前記セル内再同期先の上り信号処理手段から同期確立を示すメッセージが出力されるまでは、前記セル内再同期元の上り信号処理手段側の出力データを該当移動機からの受信データとして選択し、
前記セル内再同期先の上り信号処理手段から前記同期確立を示すメッセージが出力された以降は、前記セル内再同期先の上り信号処理手段側の出力データを該当移動機からの受信データとして選択し、
選択したデータを該当移動機からの受信データとして前記有線インタフェース手段を通して前記無線ネットワーク制御装置へ送信することを特徴とするセル内再同期時の上り受信データ選択方法。
【請求項６】
前記セル内再同期が指示された移動機に対し使用するキャリア周波数を元に戻すセル内再同期の切戻しが指示されると、前記セル内再同期元の上り信号処理手段から同期確立を示すメッセージが出力されるまでは、前記セル内再同期先の上り信号処理手段側の出力データを該当移動機からの受信データとして選択し、
前記セル内再同期元の上り信号処理手段から前記同期確立を示すメッセージが出力された以降は、前記セル内再同期元の上り信号処理手段側の出力データを該当移動機からの受信データとして選択することを特徴とする請求項５記載のセル内再同期時の上り受信データ選択方法。
【請求項７】
各々が、任意の１つの移動機及び任意の１つのキャリア周波数に割当て可能に設けられ、受信した割当て対象の移動機からの割当て対象のキャリア周波数による上り信号に対する同期確立及びデータ復元処理を行い、上り信号の同期確立検出時点に同期確立を示すメッセージを出力し、以後同期外れを検出するまで、得られたデータを該当移動機からの受信データとして順次出力する複数の上り信号処理手段を有し、有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置における、移動機の使用するキャリア周波数を切替えるセル内再同期時の上り受信データ選択方法において、
同一の移動機に対し使用する複数のキャリア周波数対応に複数の上り信号処理手段を割当て、
最近に同期確立を示すメッセージを出力した前記上り信号処理手段からの出力データを該当移動機からの受信データとして選択し、
選択したデータを該当移動機からの受信データとして前記有線インタフェース手段を通して前記無線ネットワーク制御装置へ送信することを特徴とするセル内再同期時の上り受信データ選択方法。
【発明の詳細な説明】
【０００１】
【発明の属する技術分野】
本発明はＣＤＭＡ移動通信システム、及びそれに用いる無線基地局装置とそのセル内再同期時の上り受信データ選択方法に関し、特に有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御する無線基地局装置と、そのセル内再同期時の上り受信データ選択方法と、それを用いたＣＤＭＡ移動通信システムとに関する。
【０００２】
【従来の技術】
ＣＤＭＡ（Ｃｏｄｅ　Ｄｉｖｉｓｉｏｎ　Ｍｕｌｔｉｐｌｅ　Ａｃｃｅｓｓ：符号分割多元接続）方式の移動通信システムの無線基地局装置は、上位の無線ネットワーク制御装置からの制御の下、複数のキャリア周波数を有する無線インタフェースを通して、自装置の無線サービスエリアであるセル内に位置する複数の移動機に対し、下り信号及び上り信号の送受信を行い呼接続を制御している。この無線基地局装置は、下り信号及び上り信号を処理する信号処理回路を複数備え、それぞれ任意の１つの移動機及び任意の１つのキャリア周波数に割当て可能としている。各上り信号処理回路は、逆拡散部及び復号部を有し、割当てられたキャリア周波数による上り信号に対する同期確立及びデータ復元処理を行う。
【０００３】
無線基地局装置が、ある移動機との間で、あるキャリア周波数及びある信号処理回路を使用して通信している際、該当周波数における干渉量が多い場合などは、他のキャリア周波数及び他の信号処理回路に切替えて通信の継続を図る。このことをセル内再同期と称する。
【０００４】
【発明が解決しようとする課題】
上述した従来の無線基地局装置のセル内再同期においては次のような問題がある。すなわち、セル内再同期で用いられる上り信号の上位無線ネットワーク制御装置への伝送路は同一のリソースを使用するが、セル内再同期元の上り信号処理回路（逆拡散部）での同期外れ時間と、セル内再同期先の上り信号処理回路（逆拡散部）での同期確立時間とが異なり、セル内再同期先の上り信号処理回路で同期確立してからセル内再同期元の上り信号処理回路で同期外れとなるため、伝送路インタフェースから出力される受信データが重複して送信されてしまうことである。
【０００５】
なお、セル内再同期元での同期外れ後にセル内再同期先で同期確立するようになれば問題はないが、同期に対するシステムの要件を考慮すると、同期確立は同期し易く短時間であること、同期確立後は外れ難いことが望ましい。そのため、重複する可能性が高くなる。
【０００６】
本発明の目的は、セル内再同期時に無線ネットワーク制御装置へ送信する受信データの重複を防止するＣＤＭＡ移動通信システム、及びそれに用いる無線基地局装置とそのセル内再同期時の上り受信データ選択方法を提供することにある。
【０００７】
【課題を解決するための手段】
本発明の請求項１に係る無線基地局装置は、有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置において、各々が、任意の１つの移動機及び任意の１つのキャリア周波数に割当て可能に設けられ、前記無線インタフェース手段を通して受信した割当て対象の移動機からの割当て対象のキャリア周波数による上り信号に対する同期確立及びデータ復元処理を行い、前記上り信号の同期確立検出時点に同期確立を示すメッセージを出力し、以後同期外れを検出するまで、得られたデータを該当移動機からの受信データとして順次出力する複数の上り信号処理手段と、同一の移動機に対し使用するキャリア周波数を異なるものに切替えるセル内再同期が指示されると、該当移動機にそれまで割当てられていたセル内再同期元の上り信号処理手段と、新たに割当てられたセル内再同期先の上り信号処理手段との２つの上り信号処理手段からの出力データをそれぞれ入力し、前記セル内再同期先の上り信号処理手段から前記同期確立を示すメッセージを受信するまでは前記セル内再同期元の上り信号処理手段側の出力データを選択し、前記同期確立を示すメッセージを受信した以降は前記セル内再同期先の上り信号処理手段側の出力データを選択し、選択したデータを該当移動機からの受信データとして前記有線インタフェース手段を通して前記無線ネットワーク制御装置へ送信する受信データ選択手段とを有する。
【０００８】
本発明の請求項２に係る無線基地局装置は、請求項１に係る無線基地局装置において、前記受信データ選択手段が、前記セル内再同期が指示された移動機に対し使用するキャリア周波数を元に戻すセル内再同期の切戻しが指示されると、前記セル内再同期元の上り信号処理手段から同期確立を示すメッセージを受信するまでは前記セル内再同期先の上り信号処理手段側の出力データを選択し、前記同期確立を示すメッセージを受信した以降は前記セル内再同期元の上り信号処理手段側の出力データを選択し、選択したデータを該当移動機からの受信データとして前記有線インタフェース手段を通して前記無線ネットワーク制御装置へ送信する構成を含むことができる。
【０００９】
本発明の請求項３に係る無線基地局装置は、有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置において、各々が、任意の１つの移動機及び任意の１つのキャリア周波数に割当て可能に設けられ、前記無線インタフェース手段を通して受信した割当て対象の移動機からの割当て対象のキャリア周波数による上り信号に対する同期確立及びデータ復元処理を行い、前記上り信号の同期確立検出時点に同期確立を示すメッセージを出力し、以後同期外れを検出するまで、得られたデータを該当移動機からの受信データとして順次出力する複数の上り信号処理手段と、同一の移動機に対し使用する複数のキャリア周波数対応にそれぞれ割当てられた複数の上り信号処理手段からの出力データをそれぞれ入力し、最近に前記同期確立を示すメッセージを出力した上り信号処理手段からの出力データを選択し該当移動機からの受信データとして前記有線インタフェース手段を通して前記無線ネットワーク制御装置へ送信する受信データ選択手段とを有する。
【００１０】
本発明の請求項４に係るＣＤＭＡ移動通信システムは、無線サービスエリアであるセル内に位置し、指定されたキャリア周波数でデータの送受信を行い、セル内再同期時に使用するキャリア周波数を変更する移動機と、前記移動機に対し使用する複数のキャリア周波数対応にそれぞれ割当てられた複数の上り信号処理手段の各々で受信した前記移動機からの受信データの重複を削除する請求項１、２、または３に係る無線基地局装置と、前記無線基地局装置を制御し前記移動機からの重複が削除された受信データを受信する無線ネットワーク制御装置とを有する。
【００１１】
本発明の請求項５に係るセル内再同期時の上り受信データ選択方法は、各々が、任意の１つの移動機及び任意の１つのキャリア周波数に割当て可能に設けられ、受信した割当て対象の移動機からの割当て対象のキャリア周波数による上り信号に対する同期確立及びデータ復元処理を行い、上り信号の同期確立検出時点に同期確立を示すメッセージを出力し、以後同期外れを検出するまで、得られたデータを該当移動機からの受信データとして順次出力する複数の上り信号処理手段を有し、有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置における、移動機の使用するキャリア周波数を切替えるセル内再同期時の上り受信データ選択方法において、セル内再同期が指示された移動機に対し、セル内再同期以前に使用していたキャリア周波数に対応して割当てていたセル内再同期元の上り信号処理手段の他に、セル内再同期以降に使用するキャリア周波数に対応するセル内再同期先の上り信号処理手段を新たに割当て、前記セル内再同期先の上り信号処理手段から同期確立を示すメッセージが出力されるまでは、前記セル内再同期元の上り信号処理手段側の出力データを該当移動機からの受信データとして選択し、前記セル内再同期先の上り信号処理手段から前記同期確立を示すメッセージが出力された以降は、前記セル内再同期先の上り信号処理手段側の出力データを該当移動機からの受信データとして選択し、選択したデータを該当移動機からの受信データとして前記有線インタフェース手段を通して前記無線ネットワーク制御装置へ送信する工程を有する。
【００１２】
本発明の請求項６に係るセル内再同期時の上り受信データ選択方法は、請求項５に係るセル内再同期時の上り受信データ選択方法において、前記セル内再同期が指示された移動機に対し使用するキャリア周波数を元に戻すセル内再同期の切戻しが指示されると、前記セル内再同期元の上り信号処理手段から同期確立を示すメッセージが出力されるまでは、前記セル内再同期先の上り信号処理手段側の出力データを該当移動機からの受信データとして選択し、前記セル内再同期元の上り信号処理手段から前記同期確立を示すメッセージが出力された以降は、前記セル内再同期元の上り信号処理手段側の出力データを該当移動機からの受信データとして選択する工程を含むことができる。
【００１３】
本発明の請求項７に係るセル内再同期時の上り受信データ選択方法は、各々が、任意の１つの移動機及び任意の１つのキャリア周波数に割当て可能に設けられ、受信した割当て対象の移動機からの割当て対象のキャリア周波数による上り信号に対する同期確立及びデータ復元処理を行い、上り信号の同期確立検出時点に同期確立を示すメッセージを出力し、以後同期外れを検出するまで、得られたデータを該当移動機からの受信データとして順次出力する複数の上り信号処理手段を有し、有線インタフェース手段を通して接続された上位の無線ネットワーク制御装置からの制御の下、複数のキャリア周波数を有する無線インタフェース手段を通して自装置の無線サービスエリアであるセル内に位置する複数の移動機に対する下り信号及び上り信号の送受信を行い呼接続を制御するＣＤＭＡ移動通信システムの無線基地局装置における、移動機の使用するキャリア周波数を切替えるセル内再同期時の上り受信データ選択方法において、同一の移動機に対し使用する複数のキャリア周波数対応に複数の上り信号処理手段を割当て、最近に同期確立を示すメッセージを出力した前記上り信号処理手段からの出力データを該当移動機からの受信データとして選択し、選択したデータを該当移動機からの受信データとして前記有線インタフェース手段を通して前記無線ネットワーク制御装置へ送信する工程を有する。
【００１４】
【発明の実施の形態】
まず、本発明の概要を説明する。本発明は、ＣＤＭＡ（Ｃｏｄｅ　Ｄｉｖｉｓｉｏｎ　Ｍｕｌｔｉｐｌｅ　Ａｃｃｅｓｓ：符号分割多元接続）方式の移動通信システムの無線基地局装置のセル内再同期時において、セル内再同期元、先の同期状態が変化した場合でも同一移動機からの上り受信データ重複が発生しないことを特徴としている。
【００１５】
無線基地局装置のセル内再同期元の第１の上り信号処理部は、逆拡散部においてセル内再同期元の第１の周波数で無線部を通して受信した移動機（ＵＥ：Ｕｓｅｒ　Ｅｑｕｉｐｍｅｎｔ）からの送信信号の同期処理を行い、その信号を逆拡散し、復号部において逆拡散部からの逆拡散信号を復号化し、データ誤りを訂正し、その受信データを無線ネットワーク制御装置（ＲＮＣ：Ｒａｄｉｏ　Ｎｅｔｗｏｒｋ　Ｃｏｎｔｒｏｌｌｅｒ）に接続された有線伝送路インタフェース部に出力する。同様に、セル内再同期先の第２の上り信号処理部は、逆拡散部においてセル内再同期先の第２の周波数で移動機からの送信信号の受信同期処理を行い、その信号を逆拡散し、復号部において逆拡散部からの逆拡散信号を復号化し、データ誤りを訂正し、その受信データを有線伝送路インタフェース部に出力する。
【００１６】
有線伝送路インタフェース部は、セル内再同期元の上り信号処理部からの同期確立情報及びセル内再同期先の上り信号処理部からの同期確立情報の受信状況に応じて、セル内再同期元の上り信号処理部からの受信データ及びセル内再同期先の上り信号処理部からの受信データのいずれか一方を選択して、無線ネットワーク制御装置へ出力する受信データ選択機能を持つ。
【００１７】
このように本発明では、セル内再同期時において、セル内再同期元の上り信号処理部及びセル内再同期先の上り信号処理部から同期状態を有線伝送路インタフェース部に通知し、それによりデータを選択することにより、無線ネットワーク制御装置への受信データの重複送信を防止できる。
【００１８】
次に、本発明の実施の形態について図面を参照して詳細に説明する。
【００１９】
図１は本発明の一実施の形態を示すブロック構成図である。
【００２０】
図１において、本例のＣＤＭＡ移動通信システムは、図示していないコアネットワークに接続された複数（図示は１つのみ）の無線ネットワーク制御装置（ＲＮＣ：Ｒａｄｉｏ　Ｎｅｔｗｏｒｋ　Ｃｏｎｔｒｏｌｌｅｒ）３と、ユーザに携帯されサービスエリア内を移動する複数（図示は１つのみ）の移動機（ＵＥ：Ｕｓｅｒ　Ｅｑｕｉｐｍｅｎｔ）２と、ＲＮＣ３と有線伝送路で、移動機２と無線伝送路で接続され、ＲＮＣ３の制御の下、移動機２の呼制御、データの送受信を行う複数（図示は１つのみ）の無線基地局装置１とを備えている。コアネットワークは、さらに図示していない固定網（公衆網）に接続され、移動機相互間、移動機及び固定網に収容された端末間の通信が可能である。
【００２１】
無線基地局装置１は、装置内全体の制御を行う制御部１１と、各移動機２ごとに異なるキャリア周波数を用いて無線通信する無線部１２と、無線ネットワーク制御装置３と有線伝送路を介して接続するための有線伝送路インタフェース部１３と、複数（図示は３つ）の信号処理部１５（１５−１〜１５−３）とを備えている。
【００２２】
各信号処理部１５（１５−１〜１５−３）はそれぞれ、逆拡散部及び復号部を含み移動機２から無線ネットワーク制御装置３への上り方向の信号（上り信号）を処理する上り信号処理部１６（１６−１〜１６−３）と、無線ネットワーク制御装置２から移動機３への下り方向の信号（下り信号）を処理する下り信号処理部１７（１７−１〜１７−３）とを有している。
【００２３】
また、有線伝送路インタフェース部１３は、複数の上り信号処理部１６（１６−１〜１６−３）からの各受信データを選択する受信データ選択部１４を有している。
【００２４】
制御部１１は、移動機２に対して、どのキャリア周波数を使用するか指定する、それに合わせて、どの信号処理部１５（１５−１〜１５−３）を該当移動機２に対応させるか制御する。セル内再同期時には、１つの移動機２に対して今まで割当てていた再同期元のキャリア周波数と信号処理部１５の他に、再同期先として他のキャリア周波数と信号処理部１５を割当て、これらの情報を有線伝送路インタフェース部１３（受信データ選択部１４）に通知する。
【００２５】
図２は、図１に示すＣＤＭＡ移動通信システムのうち、無線基地局装置１のセル内再同期時の上り信号の処理に関係する部分を抜出した図である。
【００２６】
図２において、２つの上り信号処理部１６−１，１６−２は、ある１つの移動機（ＵＥ）２に共通に割当てられているが、キャリア周波数は異なる２つの周波数ｆ１、ｆ２がそれぞれ割当てられている。移動機２は、無線基地局装置１からの制御にしたがい、キャリア周波数ｆ１またはキャリア周波数ｆ２のいずれか一方を使用して、無線部１２との間で電波による無線信号の送受信を行う。移動機２からのキャリア周波数ｆ１の上り信号は無線部１２を通して上り信号処理部１６−１で受信される。キャリア周波数ｆ２の上り信号は無線部１２を通して上り信号処理部１６−２で受信される。
【００２７】
各上り信号処理部１６−１，１６−２は、逆拡散部１６１と、復号部１６４とをそれぞれ有している。各逆拡散部１６１は、無線部１２からの受信信号の同期を検出する同期検出部１６２と、無線部１２からの受信信号の逆拡散処理を行う逆拡散処理部１６３とをそれぞれ有している。各復号部１６４は、同期検出部１６２からの同期状態をもとに同期保護を行う同期監視部１６５と、逆拡散部１６１からの復調信号の誤り訂正を行い復号する復号処理部１６６とをそれぞれ有している。
【００２８】
なお、各上り信号処理部１６−１，１６−２が行う同期検出、保護は、例えば次のような条件で行われる。同期状態には、パイロット（Ｐｉｌｏｔ）ビットの誤りビット数が閾値以下であり、受信ＳＩＲ（希望波対干渉波電力比）が閾値以上であることが前提である。また、同期保護が存在し、同期外れ←→後方保護→同期状態←→前方保護→同期外れの状態を持ち、それぞれの状態を遷移するには上記の状態が指定されたフレーム数分連続で条件を満たす（同期外れの場合は満たさない）必要がある。
【００２９】
各上り信号処理部１６−１，１６−２は、同期が確立してから同期が外れるまでの間、内部で逆拡散、復号処理して得られたデータを移動機２からの受信データとして復号処理部１６６から有線伝送路インタフェース部１３へ所定フレームフォーマットで出力する。ただし、同期外れを検出するまで若干時間がかるため、同期外れ直前のデータは、移動機２から実際に送信されたものであるとは限らない。各上り信号処理部１６−１，１６−２はまた、同期の状態を示す情報を同期監視部１６５から有線伝送路インタフェース部１３へ出力する。
【００３０】
有線伝送路インタフェース部１３の受信データ選択部１４は、受信データの入力として２つの入力を持ち、２つの上り信号処理部１６−１，１６−２（それらの復号処理部１６６）からの出力データをそれぞれ受信し、２つの上り信号処理部１６−１，１６−２（それらの同期監視部１６５）からの同期状態情報によって一方のデータを選択し、移動機２からの受信データとして無線ネットワーク制御装置（ＲＮＣ）３へ送信する。
【００３１】
次に、図１，２とともに、図３のシーケンス図を参照してセル内再同期時の動作を詳細に説明する。ここで、キャリア周波数ｆ１、上り信号処理部１６−１（＃１）側をセル内再同期元とし、キャリア周波数ｆ２、上り信号処理部１６−２（＃２）側をセル内再同期先とする。
【００３２】
図３において、既に、キャリア周波数ｆ１を使用して、移動機（ＵＥ）２とセル内再同期元側上り信号処理部１６−１との同期確立が行われ、受信データを無線ネットワーク制御装置（ＲＮＣ）３に送信しているものとする。
【００３３】
この状態のとき、セル内再同期が指定されると、ＵＥ２での周波数切り替え（キャリア周波数ｆ２への変更）が発生し、同時に無線基地局装置１では別リソース、ここでは上り信号処理部１６−２においてセル内再同期先の受信設定が行われる。
【００３４】
受信設定されたセル内再同期先の上り信号処理部１６−２は、逆拡散部１６１でＵＥ２からの受信信号の同期確立処理を行い、復号部１６４でその同期を監視する。ＵＥ２が周波数を変更した後、同期が確立すると、復号部１６４は、有線伝送路インタフェース部１３（受信データ選択部１４）に同期確立のメッセージとともに受信データを送信する。
【００３５】
伝送路インタフェース部１３（受信データ選択部１４）は、セル内再同期先の上り信号処理部１６−２から同期確立のメッセージを受信すると、受信データの入力源を上り信号処理部１６−１（セル内再同期元）から上り信号処理部１６−２（セル内再同期先）へ切り替え、以降、セル内再同期先の上り信号処理部１６−２からの受信データをＲＮＣ３へ送信する。
【００３６】
この間、セル内再同期元の上り信号処理部１６−１の復号部１６４では、同期外れを検出するまで、受信データを伝送路インタフェース１３（受信データ選択部１４）に送信し続ける。
【００３７】
また、ＵＥ２が使用するキャリア周波数を元に戻す切戻し（キャリア周波数ｆ２からｆ１へ戻す）が発生した場合にも、切戻し先であるセル内再同期元の上り信号処理部１６−１で同期監視処理を行い、同期が確立すると伝送路インタフェース部１３（受信データ選択部１４）に同期確立のメッセージを送信する。
【００３８】
伝送路インタフェース部１３（受信データ選択部１４）は、切戻し先の上り信号処理部１６−１から同期確立のメッセージを受信すると、受信データの入力源を上り信号処理部１６−２（セル内再同期先）から上り信号処理部１６−１（セル内再同期元）へ切り替え、以降、セル内再同期元の上り信号処理部１６−１からの受信データをＲＮＣ３へ送信する。
【００３９】
この間、セル内再同期先の上り信号処理部１６−２の復号部１６４では、同期外れを検出するまで、受信データを伝送路インタフェース１３（受信データ選択部１４）に送信し続ける。
【００４０】
【発明の効果】
以上説明したように本発明によれば、上位装置である無線ネットワーク制御装置とのインタフェースを司る有線インタフェース手段に設けた受信データ選択手段で、セル内再同期元及びセル内再同期先各々の上り信号処理手段の移動機からの受信信号に対する同期状態により、無線ネットワーク制御装置に送信する移動機からの受信データとしてどちらの上り信号処理手段からの受信データを選択するか決定しているので、セル内再同期時に重複した受信データを送信することを防止できる。また、このように有線インタフェース手段に設けた受信データ選択手段で無線ネットワーク制御装置へ送信する受信データを管理しているので、セル内再同期元及びセル内再同期先の同期状態にかかわらず、上り信号処理手段で受信データの送信停止を行う必要がなく、処理が単純化できる。
【図面の簡単な説明】
【図１】本発明の一実施の形態を示すブロック構成図である。
【図２】図１に示すＣＤＭＡ移動通信システムのうち、無線基地局装置のセル内再同期時の上り信号の処理に関係する部分を抜出した図である。
【図３】本発明のセル内再同期時の動作シーケンス図である。
【符号の説明】
１　　無線基地局装置
２　　移動機（ＵＥ）
３　　無線ネットワーク制御装置（ＲＮＣ）
１３　　有線伝送路インタフェース部
１４　　受信データ選択部
１６（１６−１〜１６−３）　　上り信号処理部
１６１　　逆拡散部
１６２　　同期検出部
１６３　　逆拡散処理部
１６４　　復号部
１６５　　同期監視部
１６６　　復号処理部
【図１】
2004064318.tif 000003
【図２】
2004064318.tif 000004
【図３】
2004064318.tif 000005